(57)【要約】【課題】正確かつ確実に取り付けることができるのみならず、全体的な部材肉厚方向の寸法を薄く構成することができ、しかも見栄えが向上するエンブレム取付構造を得る。【解決手段】エンブレム１０では、透明材から成るエンブレム本体１２（透明部１８）の裏面側に、アルミ蒸着により加飾処理が施された第１凹部２０及び第２凹部２２が形成されており、当該凹部にはベース部材１４が嵌入して設けられている。ベース部材１４には位置決めピン部３０が突出形成されており、車体４０の取付孔４２に嵌入可能となっている。車体４０への取付固定に際しては、エンブレム本体１２の第１凹部２０及び第２凹部２２にベース部材１４を入り込ませ、ベース部材１４の位置決めピン部３０を車体４０の取付孔４２に差し込んで位置決めしながら、エンブレム本体１２を両面接着テープ１６によって車体４０に貼り付けることで、ベース部材１４と共に一体に車体４０に取り付ける。【選択図】図１
2009126276.tif 000002
【特許請求の範囲】
【請求項１】
裏面側に凹部が穿設されたエンブレム本体と、前記凹部に嵌入可能に形成されると共に一面側に前記凹部と反対側へ向けて位置決めピン部が突設されたベース部材と、前記エンブレム本体の裏面側に貼着した両面接着部材と、を有し、
前記エンブレム本体の前記凹部に前記ベース部材を入り込ませた状態で、前記ベース部材の位置決めピン部を車体の取付孔に差し込むと共に前記両面接着部材によって前記エンブレム本体を前記ベース部材と一体的に前記車体に取り付けた、
ことを特徴とするエンブレム取付構造。
【請求項２】
前記エンブレム本体は、透明部と、前記凹部の内周面に施されたアルミ蒸着部と、前記エンブレム本体の裏面側の前記凹部以外の部位に施された塗装部と、を備える、
ことを特徴とする請求項１記載のエンブレム取付構造。
【発明の詳細な説明】
【技術分野】
【０００１】
本発明は、自動車等の車体に取り付けられるエンブレムの取付構造に関する。
【背景技術】
【０００２】
自動車等の車体にエンブレムを取り付けるための取付構造として、車体に設けられた取付孔に位置決めピンを差し込んで位置決めしながら当該エンブレムを取り付ける構成のものが知られている（例えば、特許文献１、特許文献２参照）。
【０００３】
前記特許文献に示すような取付構造では、意匠面に露出するエンブレムの他に、位置決めピンが設けられたベース材を備えている。エンブレムの取付固定に際しては、このエンブレムを両面接着テープによってベース材と貼り合わせ、さらに、ベース材の位置決めピンを車体の取付孔に差し込んで位置決めしながらベース材を両面接着テープで車体に貼り付けることで、当該両部材を車体に接着固定する構成となっている。したがって、車体の所定位置に当該エンブレムを正確かつ確実に取り付けることができる。
【０００４】
しかしながら、このような従来のエンブレムの取付構造では、両面接着テープによってエンブレムとベース材とが実質的に二段に重なる所謂二段構造（ベース材の表裏両面のそれぞれに、すなわち、エンブレムとベース材との間およびベース材と車体との間に、両面接着テープが介在する構造）であるため、必然的に部材肉厚方向の寸法が全体として厚くなり、車体の取付面から大きく突出してしまう欠点があった。しかも、ベース材の表裏両面のそれぞれに介在する両面接着テープが側方（側面）から見え易く、見栄えが悪い欠点もあった。
【０００５】
この場合、前記各欠点を解消するためには、当該エンブレムが取り付けられる車体側の取付部位を凹状に凹ませて形成したり、両面接着テープを被覆して側方から見えないようにベース材の周縁部分にフランジ（ダミーの意匠部分）を突出形成する方法も行われているが、何れの場合も根本的な解決策にはなっていなかった。
【特許文献１】実開平５−４１９８４号公報
【特許文献２】特開２００１−３０１５４０号公報
【発明の開示】
【発明が解決しようとする課題】
【０００６】
本発明は上記事実を考慮し、正確かつ確実に取り付けることができるのみならず、全体的な部材肉厚方向の寸法を薄く構成することができ、しかも見栄えも向上するエンブレム取付構造を得ることが目的である。
【課題を解決するための手段】
【０００７】
請求項１に係る発明のエンブレム取付構造は、裏面側に凹部が穿設されたエンブレム本体と、前記凹部に嵌入可能に形成されると共に一面側に前記凹部と反対側へ向けて位置決めピン部が突設されたベース部材と、前記エンブレム本体の裏面側に貼着した両面接着部材と、を有し、前記エンブレム本体の前記凹部に前記ベース部材を入り込ませた状態で、前記ベース部材の位置決めピン部を車体の取付孔に差し込むと共に前記両面接着部材によって前記エンブレム本体を前記ベース部材と一体的に前記車体に取り付けた、ことを特徴としている。
【０００８】
請求項１記載のエンブレム取付構造では、エンブレム本体の取付固定に際しては、このエンブレム本体の凹部にベース部材を単に入り込ませ、この状態で、ベース部材の位置決めピン部を車体の取付孔に差し込んで位置決めしながら、エンブレム本体を両面接着部材によって車体に貼り付けることで、ベース部材と共に一体に車体に取り付ける。
【０００９】
したがって、車体の所定位置にエンブレム本体を正確かつ確実に取り付けることができる。
【００１０】
またしかも、ベース部材を単にエンブレム本体の凹部に入り込ませた状態でエンブレム本体を両面接着部材によって車体に貼り付ける構成であるため、換言すれば、ベース部材の表裏両面のそれぞれに両面接着部材が介在する構造ではないため（両面接着部材によってエンブレム本体とベース部材とが実質的に二段に重なる所謂二段構造ではないため）、全体的な部材肉厚方向の寸法が不要に厚くなることがなく、車体の取付面から大きく突出してしまうことがない。
【００１１】
さらに、従来の如くベース部材の表裏両面のそれぞれに両面接着部材が介在する構造ではないため、すなわち、エンブレム本体の裏面側のみに両面接着部材を用いる構成であるため、当該両面接着部材が側方（側面）から見え難くなり、見栄えが向上する。
【００１２】
このように、請求項１記載のエンブレム取付構造では、エンブレム本体をベース部材と共に正確かつ確実に車体に取り付けることができるのみならず、全体的な部材肉厚方向の寸法を薄く構成することができ、しかも見栄えも向上する。
【００１３】
請求項２に係る発明のエンブレム取付構造は、請求項１記載のエンブレム取付構造において、前記エンブレム本体は、透明部と、前記凹部の内周面に施されたアルミ蒸着部と、前記エンブレム本体の裏面側の前記凹部以外の部位に施された塗装部と、を備える、ことを特徴としている。
【００１４】
請求項２記載のエンブレム取付構造では、エンブレム本体は、透明部の他にアルミ蒸着部と塗装部とを備えており、エンブレム本体の裏面側には所謂加飾処理が施されている。すなわち、エンブレム本体は一般部分が透明部で構成されると共に、その裏面側には、凹部の内周面にアルミ蒸着部が施されており、さらに凹部以外の部位には塗装部が施されている。したがって、エンブレム本体の裏面側に位置する（凹部に入り込んだ）ベース部材が、エンブレム本体の意匠面側（表面側及び側面側）から不要に見えることがない。また、アルミ蒸着部及び塗装部を適宜に設定することで任意の意匠を創作することができ、適用の範囲も拡大する。
【発明の効果】
【００１５】
請求項１記載のエンブレム取付構造は、車体の所定位置にエンブレム本体を正確かつ確実に取り付けることができるのみならず、全体的な部材肉厚方向の寸法を薄く構成することができ、しかも見栄えも向上するという優れた効果を有している。
【００１６】
請求項２に係る発明のエンブレム取付構造は、ベース部材がエンブレム本体の意匠面側（表面側及び側面側）から不要に見えることがなく、また、任意の意匠を創作することができ、適用の範囲も拡大するという優れた効果を有している。
【発明を実施するための最良の形態】
【００１７】
以下、図１乃至図５を用いて、本発明の一実施形態について説明する。
【００１８】
図３には本発明の実施の形態に係るエンブレムの取付構造が適用されたエンブレム１０の全体構成が正面図にて示されており、また、図４にはエンブレム１０の全体構成が分解斜視図にて示されている。
【００１９】
エンブレム１０は、エンブレム本体１２、ベース部材１４及び両面接着部材としての両面接着テープ１６（図１、図２参照）を備えている。エンブレム本体１２は、透明な例えば樹脂材によって所定の意匠形状（本実施の形態では、正面視で楕円形状）で透明部１８が形成されている。また、透明部１８の周縁部裏面側には第１凹部２０が穿設されると共に、透明部１８の中央部裏面側には第２凹部２２が第１凹部２０に連続して穿設されている。なおこの場合、第１凹部２０及び第２凹部２２は、所定の意匠に対応して形成され、本実施の形態においては、特に第２凹部２２は正面視において所謂「略Ｌ字形」に形成されている。
【００２０】
図１及び図２に詳細に示す如く、これらの第１凹部２０及び第２凹部２２の内周面は、アルミ蒸着により加飾処理が施されており、アルミ蒸着部２４とされている。さらに、エンブレム本体１２（透明部１８）の裏面側の前記第１凹部２０及び第２凹部２２以外の部位は、塗装により加飾処理が施されており、塗装部２６とされている。
【００２１】
一方、図５にも示す如く、ベース部材１４は、全体として正面視において所謂「略Ｚ字形」に形成されており、そのＺ字形の各先端部分にはそれぞれ位置決めピン部３０が形成されている。このベース部材１４は、エンブレム本体１２の第１凹部２０及び第２凹部２２に対応して形成されており、これらの第１凹部２０及び第２凹部２２内に嵌入可能となっている。また、位置決めピン部３０は、ベース部材１４の一面側に（すなわち、エンブレム本体１２の第１凹部２０及び第２凹部２２と反対側へ向けて）突出形成されており、車体４０に設けられた取付孔４２に嵌入可能となっている。
【００２２】
さらに、エンブレム本体１２の裏面側には、両面接着テープ１６が貼着されている。すなわち、両面接着テープ１６は、前述の如きエンブレム本体１２及びベース部材１４と車体４０との間に介在して両者を接着固定する構成となっている。
【００２３】
以下に、本実施形態の作用並びに効果について説明する。
【００２４】
上記構成のエンブレム１０の取付構造においては、エンブレム本体１２の車体４０への取付固定に際しては、このエンブレム本体１２の第１凹部２０及び第２凹部２２にベース部材１４を単に入り込ませ、この状態で、ベース部材１４の位置決めピン部３０を車体４０の取付孔４２に差し込んで位置決めしながら、エンブレム本体１２を両面接着テープ１６によって車体４０に貼り付けることで、ベース部材１４と共に一体に車体４０に取り付ける。
【００２５】
したがって、車体４０の所定位置にエンブレム本体１２を正確かつ確実に取り付けることができる。
【００２６】
またしかも、ベース部材１４を単にエンブレム本体１２の第１凹部２０及び第２凹部２２に入り込ませた状態でエンブレム本体１２を両面接着テープ１６によって車体４０に貼り付ける構成であるため、換言すれば、ベース部材１４の表裏両面のそれぞれに両面接着テープ１６が介在する構造ではないため（両面接着テープ１６によってエンブレム本体１２とベース部材１４とが実質的に二段に重なる所謂二段構造ではないため）、全体的な部材肉厚方向の寸法が不要に厚くなることがなく、車体４０の取付面から大きく突出してしまうことがない。
【００２７】
さらに、従来の如くベース部材１４の表裏両面のそれぞれに両面接着テープ１６が介在する構造ではないため、すなわち、両面接着テープ１６を最小限の介在箇所に用いる構成であるため、当該両面接着テープ１６が側方（側面）から見え難くなり、見栄えが向上する。
【００２８】
またさらに、エンブレム本体１２は、透明部１８の他にアルミ蒸着部２４と塗装部２６とを備えており、エンブレム本体１２の裏面側には所謂加飾処理が施されている。すなわち、エンブレム本体１２は一般部分が透明部１８で構成されると共に、その裏面側には、第１凹部２０及び第２凹部２２の内周面にアルミ蒸着部２４が設けられており、さらに第１凹部２０及び第２凹部２２以外の部位には塗装部２６が設けられている。したがって、エンブレム本体１２の裏面側に位置する（第１凹部２０及び第２凹部２２に入り込んだ）ベース部材１４が、エンブレム本体１２の意匠面側（表面側及び側面側）から不要に見えることがない。また、アルミ蒸着部２４及び塗装部２６を適宜に設定することで任意の意匠を創作することができ、適用の範囲も拡大する。
【００２９】
このように、本実施の形態に係るエンブレム１０（エンブレム本体１２の取付構造）では、エンブレム本体１２をベース部材１４と共に正確かつ確実に車体に取り付けることができるのみならず、全体的な部材肉厚方向の寸法を薄く構成することができ、しかも見栄えも向上する。
【００３０】
なお、本実施の形態においては、エンブレム本体１２を正面視において楕円形状に形成し第２凹部２２を正面視において所謂「略Ｌ字形」に形成すると共に、ベース部材１４を第１凹部２０及び第２凹部２２に対応して全体として正面視において所謂「略Ｚ字形」に形成する構成としたが、これに限らず、各部材の形状は適宜に設定・変更することができる。
【００３１】
例えば、エンブレム本体１２を正面視において四角形状に形成したり、あるいは、第１凹部２０及び第２凹部２２を正面視において所謂「略Ｔ字形」に形成すると共に、ベース部材１４をこれらの第１凹部２０及び第２凹部２２に対応して全体として正面視において所謂「略Ｔ字形」に形成する構成とすることができる。
【００３２】
さらに、本実施の形態においては、ベース部材１４のＺ字形の各先端部分に、それぞれ位置決めピン部３０が形成された構成としたが、これに限らず、これら各位置決めピン部３０の形成箇所や個数は適宜に設定することができる。
【図面の簡単な説明】
【００３３】
【図１】本発明の実施の形態に係るエンブレムの取付構造を示す位置決めピン部周辺の拡大断面図である。
【図２】本発明の実施の形態に係るエンブレムの取付構造を示す図３の２−２線に沿った断面図である。
【図３】本発明の実施の形態に係るエンブレムの構成を示す正面図である。
【図４】本発明の実施の形態に係るエンブレムの構成を示す分解斜視図である。
【図５】本発明の実施の形態に係るエンブレムのベース部材の構成を示す正面図である。
【符号の説明】
【００３４】
１０    エンブレム
１２    エンブレム本体
１４    ベース部材
１６    両面接着テープ（両面接着部材）
１８    透明部
２０    第１凹部
２２    第２凹部
２４    アルミ蒸着部
２６    塗装部
３０    位置決めピン部
４０    車体
４２    取付孔
【図１】
2009126276.tif 000003
【図２】
2009126276.tif 000004
【図３】
2009126276.tif 000005
【図４】
2009126276.tif 000006
【図５】
2009126276.tif 000007